【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
画像データの入力を受けて当該画像データに応じて点灯された光を生成し、当該光により像保持体を走査露光して当該像保持体上に潜像を形成する潜像形成手段と、
前記像保持体上の前記潜像が現像されて形成されたトナー像が転写されるとともに、前記画像データを前記潜像形成手段に出力する出力開始時点を設定するための基準となる基準指標が形成された転写体と、
前記転写体上に形成された前記基準指標と対向するように配置され、当該基準指標の通過に応じて変動する検出信号を出力する検出手段と、
前記検出手段から出力された前記検出信号を取得し、当該検出信号を用いて前記潜像形成手段への前記画像データの出力開始時点を制御する制御手段とを備え、
前記制御手段は、前記検出手段から取得した前記検出信号の第１の変動により当該検出信号の変動を無視する第１の時間長からなる第１の期間を開始し、当該第１の期間が経過することにより第２の時間長からなる第２の期間を開始し、当該第２の期間にて最初に発生する当該検出信号の第２の変動を前記画像データの出力開始時点の基準とするとともに、当該第２の期間にて当該第２の変動が発生した後の当該検出信号の変動を無視することを特徴とする画像形成装置。
【請求項２】
前記転写体は、当該転写体の進行方向に沿って複数の前記基準指標が形成されるとともに、当該複数の基準指標各々が個別に被覆膜で覆われるか、または当該複数の基準指標全部が一体的に被覆膜で覆われて構成され、
前記制御手段は、前記第１の期間の前記第１の時間長が、当該第１の期間の開始から前記被覆膜で覆われた前記基準指標の後端部が前記検出手段の配置位置に到達するまでに要する時間よりも短く設定されたことを特徴とする請求項１記載の画像形成装置。
【請求項３】
像保持体上に保持されたトナー像が転写される転写体上に形成された基準指標と対向するように配置されて当該基準指標の通過に応じて変動する検出信号を出力する検出手段から、当該検出信号を取得する取得手段と、
画像データに応じて点灯された光により前記像保持体を走査露光して当該像保持体上に前記トナー像の基となる潜像を形成する潜像形成手段への当該画像データの出力開始時点を、前記取得手段にて取得した前記検出信号を用いて制御する制御手段とを備え、
前記制御手段は、前記検出手段から取得した前記検出信号の第１の変動により当該検出信号の変動を無視する第１の時間長からなる第１の期間を開始し、当該第１の期間が経過することにより第２の時間長からなる第２の期間を開始し、当該第２の期間にて最初に発生する当該検出信号の第２の変動を前記画像データの出力開始時点の基準とするとともに、当該第２の期間にて当該第２の変動が発生した後の当該検出信号の変動を無視することを特徴とする制御装置。
【請求項４】
前記転写体は、当該転写体の進行方向に沿って複数の前記基準指標が形成されるとともに、当該複数の基準指標各々が個別に被覆膜で覆われるか、または当該複数の基準指標全部が一体的に被覆膜で覆われて構成され、
前記制御手段は、前記第１の期間の前記第１の時間長が、当該第１の期間の開始から前記被覆膜で覆われた前記基準指標の後端部が前記検出手段の配置位置に到達するまでに要する時間よりも短く設定されたことを特徴とする請求項３記載の制御装置。
【請求項５】
コンピュータに、
像保持体上に保持されたトナー像が転写される転写体上に形成された基準指標と対向するように配置されて当該基準指標の通過に応じて変動する検出信号を出力する検出手段から、当該検出信号を取得する機能と、
取得した前記検出信号の第１の変動により当該検出信号の変動を無視する第１の時間長からなる第１の期間を開始させる機能と、
前記第１の期間が経過することにより第２の時間長からなる第２の期間を開始させる機能と、
前記第２の期間にて最初に発生する前記検出信号の第２の変動を基準として、画像データに応じて点灯された光により前記像保持体を走査露光して当該像保持体上に前記トナー像の基となる潜像を形成する潜像形成手段への当該画像データの出力開始時点を設定する機能と、
前記第２の期間にて前記第２の変動が発生した後の前記検出信号の変動を無視する機能と
を実現させることを特徴とするプログラム。
【請求項６】
予め印が設けられるとともに画像が形成される転写ベルトを有し、画像を形成する画像形成手段と、
前記印の検出に応じて変動する第１の信号を出力する出力手段と、
前記画像形成手段による画像形成の開始に関する第２の信号を受け付ける受付手段とを有し、
前記第２の信号は、前記第１の信号に第１の変動が生じてから第１の期間の経過後の最初の前記第２の変動に応じて出力される一方、２回目以降の当該信号の変動および前記第１の信号に第１の変動が生じてから第１の期間の経過する前の当該信号の変動に応じては出力されないことを特徴とする画像形成装置。
【請求項７】
前記第２の信号は、前記第１の期間および第２の期間経過後に最初の信号の変動が生じてから、さらに第１の期間の経過後の最初の前記第２の信号の変動に応じて出力されることを特徴とする請求項６に記載の画像形成装置。
【請求項８】
予め印が設けられるとともに画像が形成される転写ベルトと、
前記印の先端および後端の検出に対応して信号を出力する出力手段と、
前記転写ベルトの搬送方向における前記印の後端を基準として、当該印の後端から所定の距離に画像を形成する画像形成部とを有し、
前記画像形成部は、前記出力手段が前記印の先端に対応して信号を出力したあと、第１の期間内に２回目の信号を出力する場合であっても、当該信号の出力に関わらず、当該印の後端から所定の距離に画像を形成することを特徴とする画像形成装置。
【請求項９】
前記画像形成部は、前記出力手段が前記印の先端および後端に対応して信号を出力したあと、前記第２の期間内に再度信号を出力する場合であっても、当該信号の出力に関わらず、当該印の後端から所定の距離に画像を形成することを特徴とする画像形成装置。
【手続補正２】
【補正対象書類名】明細書
【補正対象項目名】０００９
【補正方法】変更
【補正の内容】
【０００９】
請求項５に記載の発明は、コンピュータに、像保持体上に保持されたトナー像が転写される転写体上に形成された基準指標と対向するように配置されて当該基準指標の通過に応じて変動する検出信号を出力する検出手段から、当該検出信号を取得する機能と、取得した前記検出信号の第１の変動により当該検出信号の変動を無視する第１の時間長からなる第１の期間を開始させる機能と、前記第１の期間が経過することにより第２の時間長からなる第２の期間を開始させる機能と、前記第２の期間にて最初に発生する前記検出信号の第２の変動を基準として、画像データに応じて点灯された光により前記像保持体を走査露光して当該像保持体上に前記トナー像の基となる潜像を形成する潜像形成手段への当該画像データの出力開始時点を設定する機能と、前記第２の期間にて前記第２の変動が発生した後の前記検出信号の変動を無視する機能とを実現させることを特徴とするプログラムである。
また、請求項６に記載の発明は、予め印が設けられるとともに画像が形成される転写ベルトを有し、画像を形成する画像形成手段と、前記印を検出に応じて変動する第１の信号を出力する出力手段と、前記第１の信号に変動が生じてから所定の時間後に出力される画像形成の開始に関する第２の信号を受け付ける受付手段とを有し、前記第２の信号は、前記第１の信号に第１の変動が生じてから第１の期間の経過後の最初の第２の変動に応じて出力される一方、２回目以降の第２の変動および前記第１の信号に第１の変動が生じてから第１の期間の経過する前の第２の変動に応じては出力されないことを特徴とする画像形成装置である。
また、請求項７に記載の発明は、前記第２の信号は、前記第１の期間および第２の期間経過後に最初の信号の変動が生じてから、さらに第１の期間の経過後の最初の前記第２の信号の変動に応じて出力されることを特徴とする請求項６に記載の画像形成装置である。
また、請求項８に記載の発明は、予め印が設けられるとともに画像が形成される転写ベルトと、前記印の先端および後端の検出に対応して信号を出力する出力手段と、前記転写ベルトの搬送方向における前記印の後端を基準として、当該印の後端から所定の距離に画像を形成する画像形成部とを有し、前記画像形成部は、前記出力手段が前記印の先端に対応して信号を出力したあと、第１の期間内に２回目の信号を出力する場合であっても、当該信号の出力に関わらず、当該印の後端から所定の距離に画像を形成することを特徴とする画像形成装置である。
また、請求項９に記載の発明は、前記画像形成部は、前記出力手段が前記印の先端および後端に対応して信号を出力したあと、前記第２の期間内に再度信号を出力する場合であっても、当該信号の出力に関わらず、当該印の後端から所定の距離に画像を形成することを特徴とする画像形成装置である。
【手続補正３】
【補正対象書類名】明細書
【補正対象項目名】００１０
【補正方法】変更
【補正の内容】
【００１０】
請求項１、６乃至９のいずれか一つに発明によれば、本発明を採用しない場合に比べ、転写体に形成された各色トナー像を位置合わせするための基準指標を精度良く検出し、各色トナー像間の位置ずれを低減することができる。  請求項２の発明によれば、基準指標の先端部に剥がれが生じるのを抑えられることができるとともに、本発明を採用しない場合に比べ、基準指標の後端部をより確実に検出することができ、各色トナー像の位置合わせ精度を向上させることができる。  請求項３の発明によれば、本発明を採用しない場合に比べ、画像形成装置に設けられた転写体に形成された各色トナー像を位置合わせするための基準指標を精度良く検出し、各色トナー像間の位置ずれを低減することができる。  請求項４の発明によれば、基準指標の先端部に剥がれが生じるのを抑えられることができるとともに、本発明を採用しない場合に比べ、基準指標の後端部をより確実に検出することができ、各色トナー像の位置合わせ精度を向上させることができる。  請求項５の発明によれば、本発明を採用しない場合に比べ、画像形成装置に設けられた転写体に形成された各色トナー像を位置合わせするための基準指標を精度良く検出し、各色トナー像間の位置ずれを低減することができる。